(57)【要約】【課題】取り忘れられた物品を確実に取り忘れ申告者に返却することが可能な物品販売装置を提供すること。【解決手段】物品購入者の顔を撮影する撮影手段（９）と、物品購入指示に対応して物品を販売する販売手段（１１１）と、販売された物品の取り忘れの有無を検知する検知手段（６ａ）と、前記検知手段により物品の取り忘れが検知されたとき、取り忘れられた物品を回収する回収手段（１１１）と、前記検知手段により物品の取り忘れが検知されたとき、前記撮影手段により撮影された物品購入者の顔画像データを取り忘れリストに保存する保存手段（１４０）とを備えている。【選択図】　　　　　図２
2004094546.tif 000002
【特許請求の範囲】
【請求項１】
物品購入者の顔を撮影する撮影手段と、
物品購入指示に対応して物品を販売する販売手段と、
販売された物品の取り忘れの有無を検知する検知手段と、
前記検知手段により物品の取り忘れが検知されたとき、取り忘れられた物品を回収する回収手段と、
前記検知手段により物品の取り忘れが検知されたとき、前記撮影手段により撮影された物品購入者の顔画像データを取り忘れリストに保存する保存手段と、
を備えたことを特徴とする物品販売装置。
【請求項２】
前記検知手段により物品の受け取りが検知されたとき、前記撮影手段により撮影された物品購入者の顔画像データを削除する削除手段を備えたことを特徴とする請求項１に記載の物品販売装置。
【請求項３】
前記保存手段は、前記検知手段により物品の取り忘れが検知されたとき、前記撮影手段により撮影された物品購入者の顔画像データと共に、取り忘れられた物品に関するデータを前記取り忘れリストに保存することを特徴とする請求項１に記載の物品販売装置。
【請求項４】
物品購入者の顔を撮影する撮影手段と、
物品購入指示及び代金の投入に対応して物品を販売する販売手段と、
前記販売手段による物品の販売に対応して、必要に応じてつり銭を返却する返却手段と、
前記返却手段により返却されたつり銭の取り忘れの有無を検知する検知手段と、
前記検知手段によりつり銭の取り忘れが検知されたとき、取り忘れられたつり銭を回収する回収手段と、
前記検知手段によりつり銭の取り忘れが検知されたとき、前記撮影手段により撮影された物品購入者の顔画像データを取り忘れリストに保存する保存手段と、
を備えたことを特徴とする物品販売装置。
【請求項５】
前記検知手段によりつり銭の受け取りが検知されたとき、前記撮影手段により撮影された物品購入者の顔画像データを削除する削除手段を備えたことを特徴とする請求項４に記載の物品販売装置。
【請求項６】
前記保存手段は、前記検知手段によりつり銭の取り忘れが検知されたとき、前記撮影手段により撮影された物品購入者の顔画像データと共に、取り忘れられたつり銭に関するデータを前記取り忘れリストに保存することを特徴とする請求項４に記載の物品販売装置。
【請求項７】
物品購入者の顔を撮影する撮影手段と、
物品購入指示に対応して物品を販売する販売手段と、
販売された物品の取り忘れの有無を検知する検知手段と、
前記検知手段により物品の取り忘れが検知されたとき、取り忘れられた物品を回収する回収手段と、
前記検知手段により物品の取り忘れが検知されたとき、前記撮影手段により撮影された物品購入者の顔画像データを取り忘れリストに保存する保存手段と、
前記取り忘れリストの表示指示に対応して、前記取り忘れリストを表示する表示手段と、
取り忘れ物品の受取人に該当する顔画像データの削除指示に対応して、前記取り忘れリストから取り忘れ物品の受取人に該当する顔画像データを削除する削除手段と、
を備えたことを特徴とする物品販売システム。
【請求項８】
物品購入者の顔を撮影する撮影手段と、
物品購入指示に対応して物品を販売する販売手段と、
前記販売手段による物品の販売に対応して、必要に応じてつり銭を返却する返却手段と、
前記返却手段により返却されたつり銭の取り忘れの有無を検知する検知手段と、
前記検知手段によりつり銭の取り忘れが検知されたとき、取り忘れられたつり銭を回収する回収手段と、
前記検知手段によりつり銭の取り忘れが検知されたとき、前記撮影手段により撮影された物品購入者の顔画像データを取り忘れリストに保存する保存手段と、前記取り忘れリストの表示指示に対応して、前記取り忘れリストを表示する表示手段と、
取り忘れられたつり銭の受取人に該当する顔画像データの削除指示に対応して、前記取り忘れリストから取り忘れられたつり銭の受取人に該当する顔画像データを削除する削除手段と、
を備えたことを特徴とする物品販売システム。
【請求項９】
物品購入者の顔を撮影し、
物品購入指示に対応して物品を販売し、
販売された物品の取り忘れが検知されたとき、取り忘れられた物品を回収するとともに、事前撮影された物品購入者の顔画像データを取り忘れリストに保存する、
ことを特徴とする物品取り忘れ対応処理方法。
【請求項１０】
販売された物品の受け取りが検知されたとき、事前撮影により得られた物品購入者の顔画像データを削除することを特徴とする請求項９に記載の物品取り忘れ対応処理方法。
【請求項１１】
販売された物品の取り忘れが検知されたとき、事前撮影された物品購入者の顔画像データと共に、取り忘れられた物品に関するデータを前記取り忘れリストに保存することを特徴とする請求項９に記載の物品取り忘れ対応処理方法。
【請求項１２】
前記取り忘れリストの表示指示に対応して、前記取り忘れリスト表示し、
取り忘れ物品の受取人に該当する顔画像データの削除指示に対応して、前記取り忘れリストから取り忘れ物品の受取人に該当する顔画像データを削除する、
ことを特徴とする請求項９に記載の物品取り忘れ対応処理方法。
【発明の詳細な説明】
【０００１】
【発明の属する技術分野】
この発明は、乗車券などの物品を販売する物品販売装置及び物品販売システムに関し、特に物品販売装置で販売された物品又は返却されたつり銭の取り忘れ対策の改良に関する。また、この発明は、乗車券などの物品を販売する装置における物品取り忘れ対応理方法に関する。
【０００２】
【従来の技術】
近年、鉄道などの交通機関の駅には、券売機及び精算機などが設置されている。券売機は操作パネルを備えており、操作パネルを介した発券指示及び代金の投入に対応して、乗車券を発券するとともに、必要に応じてつり銭を返却する。精算機は、ユーザにより投入される乗車券又は定期券を受け取り、乗車券又は定期券に記録された情報を読み取り、不足運賃を要求する。さらに、精算機は、不足運賃の要求に対応して投入される代金を受け取り、精算券を発券するとともに、必要に応じてつり銭を返却し、さらに定期券を受け取っている場合には定期券も返却する。
【０００３】
【発明が解決しようとする課題】
上記したように、券売機は、乗車券を発券するとともに、必要に応じてつり銭を返却する。精算機は、精算券を発券するとともに、必要に応じてつり銭を返却する。ユーザは、券売機から発券された乗車券、及び券売機から返却されたつり銭のうちどちらか一方を取り忘れて、立ち去ることがある。同様に、ユーザは、精算機から発券された精算券、精算機から返却されたつり銭、及び精算機から返却された定期券のうち、一つ或いは二つだけを受け取り、立ち去ることがある。
【０００４】
取り忘れられた乗車券、定期券、又はつり銭が回収され保管されていれば、取り忘れたユーザからの申し出に対応して、返却することができる。ここで、問題となるのが、取り忘れられた乗車券、定期券、又はつり銭が、本当に取り忘れを申し出たユーザのものかどうかを確認できないということである。悪質な場合、乗車券、定期券、又はつり銭が盗まれることになる。
【０００５】
この発明の目的は、上記したような事情に鑑み成されたものであって、取り忘れられた物品又はつり銭を確実に取り忘れ申告者に返却することが可能な物品販売装置、物品販売システム、及び物品取り忘れ対応理方法を提供することにある。
【０００６】
【課題を解決するための手段】
上記課題を解決し目的を達成するために、この発明の物品販売装置、物品販売システム、及び物品取り忘れ対応理方法は、以下のように構成されている。
【０００７】
（１）この発明の物品販売装置は、物品購入者の顔を撮影する撮影手段と、物品購入指示に対応して物品を販売する販売手段と、販売された物品の取り忘れの有無を検知する検知手段と、前記検知手段により物品の取り忘れが検知されたとき、取り忘れられた物品を回収する回収手段と、前記検知手段により物品の取り忘れが検知されたとき、前記撮影手段により撮影された物品購入者の顔画像データを取り忘れリストに保存する保存手段とを備えている。
【０００８】
（２）この発明の物品販売装置は、物品購入者の顔を撮影する撮影手段と、物品購入指示及び代金の投入に対応して物品を販売する販売手段と、前記販売手段による物品の販売に対応して、必要に応じてつり銭を返却する返却手段と、前記返却手段により返却されたつり銭の取り忘れの有無を検知する検知手段と、前記検知手段によりつり銭の取り忘れが検知されたとき、取り忘れられたつり銭を回収する回収手段と、前記検知手段によりつり銭の取り忘れが検知されたとき、前記撮影手段により撮影された物品購入者の顔画像データを取り忘れリストに保存する保存手段とを備えている。
【０００９】
（３）この発明の物品販売システムは、物品購入者の顔を撮影する撮影手段と、
物品購入指示に対応して物品を販売する販売手段と、販売された物品の取り忘れの有無を検知する検知手段と、前記検知手段により物品の取り忘れが検知されたとき、取り忘れられた物品を回収する回収手段と、前記検知手段により物品の取り忘れが検知されたとき、前記撮影手段により撮影された物品購入者の顔画像データを取り忘れリストに保存する保存手段と、前記取り忘れリストの表示指示に対応して、前記取り忘れリストを表示する表示手段と、取り忘れ物品の受取人に該当する顔画像データの削除指示に対応して、前記取り忘れリストから取り忘れ物品の受取人に該当する顔画像データを削除する削除手段とを備えている。
【００１０】
（４）この発明の物品販売方法は、物品購入者の顔を撮影し、物品購入指示に対応して物品を販売し、販売された物品の取り忘れが検知されたとき、取り忘れられた物品を回収するとともに、事前撮影された物品購入者の顔画像データを取り忘れリストに保存する。
【００１１】
【発明の実施の形態】
以下、この発明の実施の形態について図面を参照して説明する。
図１は、この発明の物品販売装置の一例に相当する自動券売機の外観図である。図２は、この発明の物品販売装置の一例に相当する自動券売機の機能を説明するための機能ブロック図である。
【００１２】
図１に示すように、自動券売機１は、表示部２、紙幣取り扱い口３、カード取り扱い口４、硬貨投入口５、乗車券発行口６、硬貨排出口７、受け皿８、及びカメラ９を備えている。
【００１３】
表示部２は、図２に示すＬＣＤ表示部１２１を備えており、券の購入に応じた画面が表示される。さらに、ＬＣＤ表示部１２１は図２に示すタッチパネル部１２２を備えている。紙幣取り扱い口３は、顧客により挿入される紙幣を受け取ったり、顧客に対してつり銭としての紙幣を返却したりする。カード取り扱い口４は、顧客により挿入される各種金額カード又は定期券などを受け取ったり、顧客に対して受け取った各種金額カード又は定期券などを返却したりする。硬貨投入口５は、顧客により投入される硬貨を受け入れる。乗車券発行口６は、顧客による入力操作に応じて発券される普通乗車券または回数券など排出する。硬貨排出口７は、顧客に対してつり銭としての硬貨を返却する。受け皿８は、硬貨排出口７から返却されるつり銭としての硬貨を受け止める。カメラ９は、自動券売機１の表示部２に対向する位置の顧客、即ち乗車券購入者の顔を撮影する。
【００１４】
続いて、図２を参照して、自動券売機１について説明する。図２に示すように、自動券売機１は、主制御部１００を備えており、この主制御部１００により発券動作及びこの発券動作に付随する各種動作が制御される。
【００１５】
主制御部１００には、ユニット伝送部１１０、接客部１２０、係員パネル部１３０、記録部１４０、及び上位伝送部１５０などが接続されている。
【００１６】
ユニット伝送部１１０には、発券ユニット１１１、カード処理ユニット１１２、紙幣処理ユニット１１３、及び硬貨処理ユニット１１４などが接続されている。
【００１７】
接客部１２０には、ＬＣＤ表示部１２１、タッチパネル部１２２、デジタルカメラ部１２３、その他表示・スイッチ部１２４などが接続されている。
【００１８】
係員パネル部１３０には、ＬＣＤ表示部１３１、タッチパネル部１３２、その他表示・スイッチ部１３３などが接続されている。
【００１９】
ここで、図３に示すフローチャートを参照して、自動券売機１による取り忘れ対応処理について説明する。カメラ９は、常時、自動券売機１で乗車券を購入しようとする顧客を撮影している。カメラ９による撮影はデジタルカメラ部１２３により制御されている。自動券売機１に対して、顧客からのアクションがあったとき（ＳＴ１０１）、カメラ９により撮影された乗車券購入者の顔画像データはデジタルカメラ部１２３に一時記憶される（ＳＴ１０２）。顧客からのアクションとは、表示部２に対するタッチ（購入指示）、紙幣取り扱い口３への紙幣の挿入、カード取り扱い口４へのカードの挿入、及び硬貨投入口５への硬貨の投入などである。
【００２０】
ＬＣＤ表示部１２１は、券販売画面を表示する。顧客は、このＬＣＤ表示部１２１を見ながら、例えば目的の行き先の駅名が表示された部位をタッチし、目的の行き先までの乗車券の購入を指示する。タッチパネル部１２２は、顧客によりタッチされた位置を検出し、画面表示に対応した購入指示を受け付ける。この購入指示に対応して、ＬＣＤ表示部１２１は、代金投入を要求する画面を表示する。この画面表示に対応して、カード取り扱い口４に金額カードが投入されたり、紙幣取り扱い口３に紙幣が投入されたり、或いは硬貨投入口５に硬貨が投入されたりする。
【００２１】
カード取り扱い口４に投入された金額カードは、カード処理ユニット１１２で受け取られる。紙幣取り扱い口３に投入された紙幣は紙幣処理ユニット１１３で受け取られる。硬貨投入口５に投入された硬貨は硬貨処理ユニット１１４で受け取られる。カード処理ユニット１１２は、受け取られた金額カードに記録されている情報の読み出し又はこの受け取られたカードに対する情報の書き込み（書き換え）などを行う。紙幣処理ユニット１１３は、受け取られた紙幣の真偽判定および金種判定などを行う。硬貨処理ユニット１１４は、受け入れられた硬貨の真偽判定および金種判定などを行う。
【００２２】
主制御部１００は、カード処理ユニット１１２で受け取られた金額カードに記録されている金額データが、購入指示された乗車券の代金以上であれば、購入指示された乗車券の発行を許可する。これに伴い、カード処理ユニット１１２は、金額カードに記録されている金額データから購入指示された乗車券の代金を差し引き、新たな金額データ（最新の残額データ）を書き込む。発券ユニット１１１は購入指示された乗車券を発券し（ＳＴ１０３）、乗車券発行口６は発券された乗車券を排出する。カード処理ユニット１１２は、受け取った金額カードを排出する（ＳＴ１０３）。これに伴い、カード取り扱い口４から金額カードが返却される。このとき、発券ユニット１１１は、発券した乗車券に関するデータを記憶する。発券した乗車券に関するデータとは、乗車券に記録された発売日時、乗車区間、及び有効期限などのデータである。また、カード処理ユニット１１２は、返却した金額カードに関するデータを記憶する。返却した金額カードに関するデータとは、金額カードに記録されている残りの金額データ及び過去の使用履歴データなどである。
【００２３】
或いは、主制御部１００は、紙幣処理ユニット１１３及び硬貨処理ユニット１１４で受け取られた総額が、購入指示された乗車券の代金に達したとき、購入指示された乗車券の発行を許可する。これに伴い、発券ユニット１１１は、購入指示された乗車券を発券し（ＳＴ１０３）、乗車券発行口６は発券された乗車券を排出する。このとき、発券ユニット１１１は、発券した乗車券に関するデータを記憶する。発券した乗車券に関するデータとは、乗車券に記録された発売日時、乗車区間、及び有効期限などのデータである。さらに、必要に応じて、紙幣処理ユニット１１３及び硬貨処理ユニット１１４によりつり銭が返却される（ＳＴ１０３）。このとき、紙幣処理ユニット１１３は、つり銭として返却する紙幣に関するデータを記憶する。つり銭として返却する紙幣に関するデータとは、紙幣の枚数、紙幣の金種、及び紙幣の合計金額などである。同様に、硬貨処理ユニット１１４は、つり銭として返却する硬貨に関するデータを記憶する。つり銭として返却する硬貨に関するデータとは、硬貨の枚数、硬貨の金種、及び硬貨の合計金額などである。紙幣処理ユニット１１３及び硬貨処理ユニット１１４によりつり銭が返却されると、紙幣取り扱い口３からつり銭としての紙幣が返却され、硬貨排出口７からつり銭としての硬貨が排出される。排出された硬貨は、受け皿８により受け止められる。
【００２４】
目的の駅までの乗車券の購入方法には、上記した以外に、顧客が所有している定期券を利用する方法がある。つまり、乗車駅から目的の降車駅までの区間の一部が、顧客所有の定期券の有効区間と重複する場合、重複区間を除く料金で、目的の降車駅までの乗車券を購入することができる。この場合には、まず、顧客は、カード取り扱い口４に定期券を投入する。投入された定期券は、カード処理ユニット１１２で受け取られる。続いて、顧客は、ＬＣＤ表示部１２１に表示された券販売画面を見ながら、目的の行き先の駅名が表示された部位をタッチする。タッチパネル部１２２は、顧客によりタッチされた位置を検出し、画面表示に対応した購入指示を受け付ける。ここで、カード処理ユニット１１２は、受け取った定期券に記録された有効期限及び有効区間などの情報を読み取る。読み取った情報は、定期券に関する情報として記憶される。主制御部１００により、定期券から読み取られた有効区間と、購入指示された目的の行き先の駅までの重複区間が検出され、重複区間を考慮した運賃が算出される。例えば、重複区間を除く運賃が算出される。ＬＣＤ表示部１２１は、算出した運賃を表示するとともに、代金投入を要求する画面を表示する。この画面表示に対応して、カード取り扱い口４に金額カードが投入されたり、紙幣取り扱い口３に紙幣が投入されたり、或いは硬貨投入口５に硬貨が投入されたりする。カード取り扱い口４に投入された金額カードは、カード処理ユニット１１２で受け取られる。紙幣取り扱い口３に投入された紙幣は紙幣処理ユニット１１３で受け取られる。硬貨投入口５に投入された硬貨は硬貨処理ユニット１１４で受け取られる。
【００２５】
主制御部１００は、カード処理ユニット１１２で受け取られた金額カードに記録されている金額データが、算出された運賃以上であれば、購入指示された乗車券の発行を許可する。これに伴い、カード処理ユニット１１２は金額カードに記録されている金額データから、算出された運賃を差し引き、新たな金額データ（最新の残額データ）を書き込む。発券ユニット１１１は購入指示された乗車券を発券し（ＳＴ１０３）、乗車券発行口６は発券された乗車券を排出する。カード処理ユニット１１２は、受け取った金額カードを排出する（ＳＴ１０３）。これに伴い、カード取り扱い口４から金額カードが返却される。このとき、発券ユニット１１１は、発券した乗車券に関するデータを記憶する。発券した乗車券に関するデータとは、乗車券に記録された発売日時、乗車区間、及び有効期限などのデータである。また、カード処理ユニット１１２は、返却した金額カードに関するデータを記憶する。返却した金額カードに関するデータとは、金額カードに記録されている残りの金額データ及び過去の使用履歴データなどである。
【００２６】
或いは、主制御部１００は、紙幣処理ユニット１１３及び硬貨処理ユニット１１４で受け取られた総額が、算出された運賃に達したとき、購入指示された乗車券の発行を許可する。これに伴い、発券ユニット１１１は、購入指示された乗車券を発券し（ＳＴ１０３）、乗車券発行口６は発券された乗車券を排出する。このとき、発券ユニット１１１は、発券した乗車券に関するデータを記憶する。発券した乗車券に関するデータとは、乗車券に記録された発売日時、乗車区間、及び有効期限などのデータである。さらに、必要に応じて、紙幣処理ユニット１１３及び硬貨処理ユニット１１４によりつり銭が返却される（ＳＴ１０３）。このとき、紙幣処理ユニット１１３は、つり銭として返却する紙幣に関するデータを記憶する。つり銭として返却する紙幣に関するデータとは、紙幣の枚数、紙幣の金種、及び紙幣の合計金額などである。同様に、硬貨処理ユニット１１４は、つり銭として返却する硬貨に関するデータを記憶する。つり銭として返却する硬貨に関するデータとは、硬貨の枚数、硬貨の金種、及び硬貨の合計金額などである。紙幣処理ユニット１１３及び硬貨処理ユニット１１４によりつり銭が返却されると、紙幣取り扱い口３からつり銭としての紙幣が返却され、硬貨排出口７からつり銭としての硬貨が排出される。
【００２７】
ここで、取り忘れ対応処理について説明する。取り忘れの対象となるのは、紙幣取り扱い口３から返却されるつり銭としての紙幣、カード取り扱い口４から返却される金額カード又は定期券、乗車券発行口６から発行される乗車券、受け皿８により受け止められたつり銭としての硬貨である。
【００２８】
紙幣取り扱い口３には紙幣を検知するセンサ３ａが設けられている。このセンサ３ａは、顧客により挿入される紙幣、及びつり銭として返却される紙幣を検知する。センサ３ａにより顧客により挿入された紙幣が検知されると、紙幣処理ユニット１１３は挿入された紙幣の取り込みを開始する。センサ３ａによりつり銭として返却された紙幣が検知されると、主制御部１００によりタイマーがセットされ（ＳＴ１０４）、所定時間経過しても引き続きつり銭として返却された紙幣が検知されている場合には（ＳＴ１０５、ＮＯ）、タイムオーバーとなり（ＳＴ１０６、ＹＥＳ）、紙幣処理ユニット１１３は紙幣の取り忘れ発生を検知する。紙幣処理ユニット１１３が紙幣の取り忘れ発生を検知すると、取り忘れられた紙幣を回収する（ＳＴ１０８）。逆に、センサ３ａによりつり銭として返却された紙幣が検知されてから、所定時間内につり銭として返却された紙幣が検知されなくなると、紙幣処理ユニット１１３は紙幣が受け取られたことを検知する。
【００２９】
カード取り扱い口４にはカードを検知するセンサ４ａが設けられている。このセンサ４ａは、顧客により挿入されるカード、及び返却されるカードを検知する。センサ４ａにより顧客により挿入されるカードが検知されると、カード処理ユニット１１２は挿入されたカードの取り込みを開始する。センサ４ａにより返却されたカードが検知されると、主制御部１００によりタイマーがセットされ（ＳＴ１０４）、所定時間経過しても引き続き返却されたカードが検知されている場合には（ＳＴ１０５、ＮＯ）、タイムオーバーとなり（ＳＴ１０６、ＹＥＳ）、カード処理ユニット１１２はカードの取り忘れ発生を検知する。カード処理ユニット１１２がカードの取り忘れ発生を検知すると、取り忘れられたカードを回収する（ＳＴ１０８）。逆に、センサ４ａにより返却されたカードが検知されてから、所定時間内に返却されたカードが検知されなくなると、カード処理ユニット１１２はカードが受け取られたことを検知する。
【００３０】
乗車券発行口６には乗車券を検知するセンサ６ａが設けられている。このセンサ６ａにより発行された乗車券が検知されると、主制御部１００によりタイマーがセットされ（ＳＴ１０４）、所定時間経過しても引き続き発行された乗車券が検知されている場合には（ＳＴ１０５、ＮＯ）、タイムオーバーとなり（ＳＴ１０６、ＹＥＳ）、発券ユニット１１１は乗車券の取り忘れ発生を検知する。発券ユニット１１１が乗車券の取り忘れ発生を検知すると、取り忘れられた乗車券を回収する（ＳＴ１０８）。逆に、センサ６ａにより発行された乗車券が検知されてから、所定時間内に発行された乗車券が検知されなくなると、発券ユニット１１１は乗車券が受け取られたことを検知する。
【００３１】
発券ユニット１１１、カード処理ユニット１１２、紙幣処理ユニット１１３による取り忘れ発生の検知に対応して、カメラ９により撮影されデジタルカメラ部１２３に一時記憶された乗車券購入者の顔画像データが、記録部１４０の取り忘れリストに保存される（ＳＴ１０９）。つまり、乗車券、金額カード、定期券、紙幣などを取り忘れた乗車券購入者の顔画像データが、記録部１４０の取り忘れリストに保存される。
【００３２】
このとき、取り忘れられた乗車券、金額カード、定期券、紙幣に関するデータも、乗車券購入者の顔画像データと共に取り忘れリストに保存される。既に説明したように、発券ユニット１１１は、発券済みの乗車券に関するデータを記憶しており、この発券済みの乗車券に関するデータが取り忘れられた乗車券のデータとして利用される。同様に、カード処理ユニット１１２は、返却した金額カードに関するデータを記憶しており、この返却した金額カードに関するデータが取り忘れられた金額カードに関するデータとして利用される。さらに、カード処理ユニット１１２は、返却した定期券に関するデータを記憶しており、この返却した定期券に関するデータが取り忘れられた定期券に関するデータとして利用される。紙幣処理ユニット１１３は、つり銭として返却した紙幣に関するデータを記憶しており、このつり銭として返却した紙幣に関するデータが取り忘れられた紙幣に関するデータとして利用される。
【００３３】
逆に、発券ユニット１１１、カード処理ユニット１１２、紙幣処理ユニット１１３により全ての受け取りが検知された場合（ＳＴ１０５、ＹＥＳ）、カメラ９により撮影されデジタルカメラ部１２３に一時記憶された乗車券購入者の顔画像データは削除される（ＳＴ１０７）。
【００３４】
続いて、図４に示すフローチャートを参照して、取り忘れに気づいて係員に取り忘れが申告された場合の対応について説明する。発券ユニット１１１、カード処理ユニット１１２、紙幣処理ユニット１１３による取り忘れ発生の検知に対応して、取り忘れられた金品が回収されている場合、係員パネル部１３２には、その旨が表示される。顧客から取り忘れの申告を受けた係員は、係員パネル部１３２のタッチパネル部１３２に対してタッチ操作し、取り忘れリストの表示を指示すると、ＬＣＤ表示部１３１に取り忘れリストが表示される。取り忘れリストは、記録部１４０に記録されている。取り忘れリストには、乗車券購入者の顔画像データが複数格納されている。さらに、各顔画像データと共に、取り忘れられた乗車券のデータ、取り忘れられた金額カードに関するデータ、取り忘れられた定期券に関するデータ、取り忘れられた紙幣に関するデータなどが格納されている。
【００３５】
係員が、タッチパネル部１３２に対してタッチ操作により検索キーが押下され（ＳＴ２０１）、所定の条件に基づく顔画像データの検索を指示すると、該当する顔画像データが検索され（ＳＴ２０２）、読み出され（ＳＴ２０３）、ＬＣＤ表示部１３１に表示される（ＳＴ２０４）。係員は、取り忘れ申告者の顔と、ＬＣＤ表示部１３１に表示された顔画像とを比較して、取り忘れ申告者に間違いがないことを確認する（ＳＴ２０５、ＹＥＳ）。この後、発券ユニット１１１に回収されている取り忘れの乗車券、カード処理ユニット１１２に回収されている金額カード又は定期券、紙幣処理ユニット１１３に回収されている紙幣を取り出し、取り忘れ申告者に対して返却する。このあと、タッチパネル部１３２に対するタッチ操作により取り忘れ解除キーが押下され（ＳＴ２０６）、取り忘れ金品を受け取った申告者の顔画像データの削除を指示すると、取り忘れリストから取り忘れ金品を受け取った申告者の顔画像データが削除される（ＳＴ２０７）。
【００３６】
係員が、取り忘れ申告者の顔と、ＬＣＤ表示部１３１に表示された顔画像とを比較して、取り忘れ申告者が偽りの申告者ではないかと判断した場合には（ＳＴ２０５、ＮＯ）、取り忘れ申告者に対する取り忘れ金品を返却しない。さらに、タッチパネル部１３２に対するタッチ操作により登録キーを押下し（ＳＴ２０８）、顔画像データをブラックリストとして登録することができる（ＳＴ２０９）。ブラックリストは記録部１４０に記録され、さらに、上位伝送部１５０を介してホストコンピュータ２００にも送信される。
【００３７】
上記説明では、申告者の顔だけで、申告者の真偽を判断するケースについて説明したが、以下に説明するようにして、さらに厳密に申告者の真偽を判断するようにしてもよい。
【００３８】
例えば、係員が、係員パネル部１３２のタッチパネル部１３２に対してタッチ操作し、顔画像データの一覧表示を指示すると、ＬＣＤ表示部１３１に顔画像データが一覧表示される。このとき、係員は、取り忘れ申告者に該当する顔画像を探す。該当する顔画像が見つかれば、タッチパネル部１３２に対するタッチ操作により、見つけた顔画像と共に格納されている取り忘れに関するデータをＬＣＤ表示部１３１に表示させる。つまり、取り忘れられた乗車券のデータ、取り忘れられた金額カードに関するデータ、取り忘れられた定期券に関するデータ、取り忘れられた紙幣に関するデータをＬＣＤ表示部１３１に表示させる。係員は、取り忘れ申告者が申告する取り忘れの内容と、ＬＣＤ表示部１３１に表示された取り忘れに関するデータとを照合して、照合結果から取り忘れ申告者に偽りがないことを確認した場合、取り忘れ申告者に対して取り忘れた乗車券、金額カード、定期券、紙幣などを返却する。このあと、タッチパネル部１３２に対するタッチ操作により、取り忘れ金品を受け取った申告者の顔画像データの削除を指示すると、取り忘れリストから取り忘れ金品を受け取った申告者の顔画像データが削除される。
【００３９】
上記説明では、顔画像データの一覧表示に続いて、特定の顔画像データと共に格納されている取り忘れに関するデータを表示させるケースについて説明したが、逆の順序でもよい。つまり、取り忘れに関するデータを一覧表示させ、取り忘れ申告者の申告に基づき、特定の取り忘れに関するデータから顔画像データを表示させるようにしてもよい。
【００４０】
一方、係員は、取り忘れ申告者が申告する取り忘れの内容と、ＬＣＤ表示部１３１に表示された取り忘れに関するデータとを照合して、照合結果から取り忘れ申告者の申告が怪しいと判断した場合には、取り忘れ申告者に対する取り忘れ金品を返却しない。さらに、タッチパネル部１３２に対するタッチ操作により、この怪しい申告をした取り忘れ申告者の顔画像データをブラックリストとして登録することができる。ブラックリストは記録部１４０に記録され、さらに、上位伝送部１５０を介してホストコンピュータ２００にも送信される。
【００４１】
上記説明では、自動券売機のケースについて説明したが、この発明は金品を提供する装置全般に適用できる。例えば、自動精算機、自動定期券発行機などにも適用できる。
【００４２】
以上説明したように、この発明によれば、取り忘れ申告者を確認することができるので、真の取り忘れ申告者に対して確実に取り忘れた金品を返却することができる。
【００４３】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００４４】
【発明の効果】
この発明によれば、取り忘れられた物品又はつり銭を確実に取り忘れ申告者に返却することが可能な物品販売装置、物品販売システム、及び物品取り忘れ対応理方法を提供できる。
【図面の簡単な説明】
【図１】この発明の物品販売装置の一例に相当する自動券売機の外観図である。
【図２】この発明の物品販売装置の一例に相当する自動券売機の機能を説明するための機能ブロック図である。
【図３】自動券売機における金品取り忘れ対応処理を説明するためのフローチャートである。
【図４】自動券売機における取り忘れ金品返却処理を説明するためのフローチャートである。
【符号の説明】
１…自動券売機、２…表示部、３…紙幣取り扱い口、４…カード取り扱い口、５…硬貨投入口、６…乗車券発行口、７…硬貨排出口、８…受け皿、９…カメラ、１００…主制御部、１１０…ユニット伝送部、１１１…発券ユニット、１１２…カード処理ユニット、１１３…紙幣処理ユニット、１１４…硬貨処理ユニット、１２０…接客部、１２１…ＬＣＤ表示部、１２２…タッチパネル部、１２３…デジタルカメラ部、１２４…その他表示・スイッチ部、１３０…係員パネル部、１３１…ＬＣＤ表示部、１３２…タッチパネル部、１３３…その他表示・スイッチ部、１４０…記録部、１５０…上位伝送部、ホストコンピュータ２００
【図１】
2004094546.tif 000003
【図２】
2004094546.tif 000004
【図３】
2004094546.tif 000005
【図４】
2004094546.tif 000006